(57)【要約】【課題】装置の使用態様に応じた適切な再生アプリケーションを迅速に使用する。【解決手段】無線通信により接続された撮像装置により生成された画像と、撮像装置の撮像操作用対象物とを含む第１の表示画面を表示部に表示させる。第１の表示画面において撮像装置への撮像指示が行われた場合に、撮像指示により取得された撮像画像と、撮像画像を異なる表示態様で表示する第３の表示画面に遷移するための遷移操作用対象物とを含む第２の表示画面を表示部に表示させる。第２の表示画面が表示されてから所定期間内に遷移操作用対象物がユーザにより操作された場合には、撮像画像に対応する画像を表示部に対して第２の表示画面で表示される撮像画像の表示領域よりも小さい領域で表示する第３の表示画面に遷移し、所定期間内に遷移操作用対象物がユーザにより操作されない場合には、第１の表示画面に遷移する。【選択図】図５
2018160905.tif 000002
【特許請求の範囲】
【請求項１】
無線通信により接続された撮像装置により生成された画像と、前記撮像装置の撮像操作用対象物とを含む第１の表示画面を表示部に表示させることと、
前記第１の表示画面において前記撮像装置への撮像指示が行われた場合に、前記撮像指示により取得された撮像画像と、前記撮像画像を異なる表示態様で表示する第３の表示画面に遷移するための遷移操作用対象物とを含む第２の表示画面を前記表示部に表示させることと、
前記第２の表示画面が表示されてから所定期間内に前記遷移操作用対象物がユーザにより操作された場合には、前記撮像画像に対応する画像を前記表示部に対して前記第２の表示画面で表示される前記撮像画像の表示領域よりも小さい領域で表示する前記第３の表示画面に遷移し、前記所定期間内に前記遷移操作用対象物がユーザにより操作されない場合には、前記第１の表示画面に遷移することと
をコンピュータに実行させるプログラム。
【請求項２】
前記撮像操作用対象物は前記生成された画像に重ねて配置して表示する
請求項１に記載のプログラム。
【請求項３】
前記遷移操作用対象物は前記撮像画像に重ねて配置して表示する
請求項１または２に記載のプログラム。
【請求項４】
前記第１の表示画面に前記遷移用操作対象物を表示する
請求項１乃至３に記載のプログラム。
【請求項５】
前記第３の表示画面に前記第１の表示画面に遷移するための操作用対象物を表示する
請求項１乃至４に記載のプログラム。
【請求項６】
前記第３の表示画面に無線通信を介して前記撮像画像を他の装置と共有するための共有操作用対象物を表示する
請求項１乃至５に記載のプログラム。
【請求項７】
無線通信により接続された撮像装置により生成された画像と、前記撮像装置の撮像操作用対象物とを含む第１の表示画面を表示部に表示させることと、 
前記第１の表示画面において前記撮像装置への撮像指示が行われた場合に、前記撮像指示により取得された撮像画像と、前記撮像画像を異なる表示態様で表示する第３の表示画面に遷移するための遷移操作用対象物とを含む第２の表示画面を前記表示部に表示させることと、 
前記第２の表示画面が表示されてから所定期間内に前記遷移操作用対象物がユーザにより操作された場合には、前記撮像画像に対応する画像を前記表示部に対して前記第２の表示画面で表示される前記撮像画像の表示領域よりも小さい領域で表示する前記第３の表示画面に遷移し 、前記所定期間内に前記遷移操作用対象物がユーザにより操作されない場合には、前記第１の表示画面に遷移することと
を含む情報処理装置の制御方法。
【請求項８】
前記撮像操作用対象物は前記生成された画像に重ねて配置して表示する 
請求項７に記載の情報処理装置の制御方法
【請求項９】
前記遷移操作用対象物は前記撮像画像に重ねて配置して表示する 
請求項７または８に記載の情報処理装置の制御方法。
【請求項１０】
前記第１の表示画面に前記遷移用操作対象物を表示する 
請求項７乃至９に記載の情報処理装置の制御方法。
【請求項１１】
前記第３の表示画面に前記第１の表示画面に遷移するための操作用対象物を表示する
請求項７乃至１０に記載の情報処理装置の制御方法。
【請求項１２】
前記第３の表示画面に無線通信を介して前記撮像画像を他の装置と共有するための共有操作用対象物を表示する
請求項７乃至１１に記載の情報処理装置の制御方法。
【請求項１３】
無線通信により接続された撮像装置により生成された画像と、前記撮像装置の撮像操作用対象物とを含む表示画面からなる前記撮像装置の撮像を制御する撮像モードから、前記撮像装置に対する撮像指示に応じて、取得された撮像画像と前記撮像画像を異なる表示態様で表示する第２の撮像画像表示モードに遷移するための遷移操作用対象物とを含む表示画面からなる第１の撮像画像表示モードに遷移することと、
前記第１の撮像画像表示モードに遷移してから所定期間内に前記遷移操作用対象物がユーザにより操作された場合は、前記撮像画像に対応する画像を異なる表示態様で表示する前記第２の撮像画像表示モードに遷移し、前記所定期間内に前記遷移操作用対象物が操作されない場合には前記撮像モードに遷移することと
をコンピュータに実行させるプログラム。
【請求項１４】
前記第２の撮像画像表示モードは、前記第１の撮像画像表示モードで表示部に表示される前記撮像画像の表示領域よりも前記撮像画像に対応する画像を小さい領域で表示する
請求項１３に記載のプログラム。
【請求項１５】
前記第２の撮像画像表示モードに前記撮像モードに遷移するための操作用対象物を表示する
請求項１３または１４に記載のプログラム。
【請求項１６】
前記第２の撮像画像表示モードにおいて無線通信を介して前記撮像画像を他の装置と共有するための共有用操作対象物を表示する
請求項１３乃至１５に記載のプログラム。
【請求項１７】
無線通信により接続された撮像装置により生成された画像と前記撮像装置の撮像操作用対象物とを含む表示画面からなる撮像モードから、前記撮像装置に対する撮像指示に応じて、取得された撮像画像と前記撮像画像を異なる表示態様で表示する第２の撮像画像表示モードに遷移するための遷移操作用対象物とを含む表示画面からなる第１の撮像画像表示モードに遷移することと、
前記第１の撮像画像表示モードに遷移してから所定期間内に前記遷移操作用対象物がユーザにより操作された場合は、前記撮像画像に対応する画像を異なる表示態様で表示する前記第２の撮像画像表示モードに遷移し、前記所定期間内に前記遷移操作用対象物が操作されない場合には前記撮像モードに遷移することと
を含む情報処理等装置の制御方法。
【請求項１８】
前記第２の撮像画像表示モードは、前記第１の撮像画像表示モードで表示部に表示される前記撮像画像の表示領域よりも前記撮像画像に対応する画像を小さい領域で表示する
請求項１７に記載の情報処理装置の制御方法。
【請求項１９】
前記第２の撮像画像表示モードにおいて前記撮像モードに遷移するための操作用対象物を表示する
請求項１７または１８に記載の情報処理装置の制御方法。
【請求項２０】
前記第２の撮像画像表示モードにおいて無線通信を介して前記撮像画像を他の装置と共有するための共有用操作対象物を表示する
請求項１７乃至１９に記載の情報処理装置の制御方法。
【発明の詳細な説明】
【技術分野】
【０００１】
本技術は、情報処理装置および撮像装置に関する。詳しくは、撮像動作により生成された画像を扱う情報処理装置、撮像装置、撮像システムおよびこれらの制御方法ならびに当該方法をコンピュータに実行させるプログラムに関する。
【背景技術】
【０００２】
従来、被写体を撮像して画像（画像データ）を生成し、この画像をコンテンツとして記録するデジタルスチルカメラやデジタルビデオカメラ（例えば、カメラ一体型レコーダ）等の撮像装置が普及している。また、無線通信を利用して各種データのやり取りを行う無線通信技術が存在する。
【０００３】
また、無線通信を利用して他の装置により撮像装置を操作する技術が存在する。例えば、表示部に表示されている操作スイッチ画像に対する接触操作が検出されると、その接触操作が行われた操作スイッチ画像に対応する動作を撮像装置に実行させる電子機器が提案されている（例えば、特許文献１参照。）。
【先行技術文献】
【特許文献】
【０００４】
【特許文献１】特開２００９−９４５９１号公報
【発明の概要】
【発明が解決しようとする課題】
【０００５】
上述の従来技術では、無線通信を利用して電子機器により撮像装置を操作することができるため、例えば、撮像装置および電子機器間が離れている場合でも、電子機器を用いて撮像装置を操作することができる。
【０００６】
ここで、例えば、無線通信を利用して撮像装置を操作することが可能な情報処理装置を用いて、撮像動作や画像編集等を行うことを想定する。この場合には、ユーザの情報処理装置および撮像装置の使用態様により、ユーザが行おうとする内容が異なることが想定される。このため、撮像装置および情報処理装置を用いて、撮像動作や画像編集等を行う場合には、その使用態様に応じて適切な再生アプリケーションを迅速に使用する状態とすることが重要である。
【０００７】
本技術はこのような状況に鑑みて生み出されたものであり、装置の使用態様に応じた適切な再生アプリケーションを迅速に使用することを目的とする。
【課題を解決するための手段】
【０００８】
本技術は、上述の問題点を解消するためになされたものであり、その第１の側面は、無線通信を利用して接続される撮像装置により生成された画像を再生する再生アプリケーションを情報処理装置の使用態様に基づいて設定する制御を行う制御部を具備する情報処理装置およびその制御方法ならびに当該方法をコンピュータに実行させるプログラムである。これにより、再生アプリケーションを情報処理装置の使用態様に基づいて設定するという作用をもたらす。
【０００９】
また、この第１の側面において、上記制御部は、ユーザ操作に基づいて上記再生アプリケーションの起動が指示されたタイミング、または、ユーザ操作に基づいて上記画像の記録処理が行われたタイミングでの上記情報処理装置の使用態様を判断し、当該判断結果に基づいて上記再生アプリケーションを設定するようにしてもよい。これにより、所定タイミングでの情報処理装置の使用態様を判断し、その判断結果に基づいて再生アプリケーションを設定するという作用をもたらす。
【００１０】
また、この第１の側面において、上記制御部は、起動後も無線通信を利用した上記撮像装置との接続を維持する第１再生アプリケーションと、起動後は無線通信を利用した上記撮像装置との接続が切断される第２再生アプリケーションとの何れかを設定するようにしてもよい。これにより、第１再生アプリケーションおよび第２再生アプリケーションの何れかを設定するという作用をもたらす。
【００１１】
また、この第１の側面において、上記制御部は、上記撮像装置が上記情報処理装置に装着されている場合には上記第１再生アプリケーションを設定し、上記撮像装置が上記情報処理装置に装着されていない場合には上記第２再生アプリケーションを設定するようにしてもよい。これにより、撮像装置が情報処理装置に装着されている場合には、第１再生アプリケーションを設定し、撮像装置が情報処理装置に装着されていない場合には、第２再生アプリケーションを設定するという作用をもたらす。
【００１２】
また、この第１の側面において、上記制御部は、無線通信を利用して上記撮像装置および上記情報処理装置が接続されている場合には上記第１再生アプリケーションを設定し、無線通信を利用した上記撮像装置および上記情報処理装置間の接続が切断されている場合には上記第２再生アプリケーションを設定するようにしてもよい。これにより、無線通信を利用して撮像装置および情報処理装置が接続されている場合には、第１再生アプリケーションを設定し、無線通信を利用した撮像装置および情報処理装置間の接続が切断されている場合には、第２再生アプリケーションを設定するという作用をもたらす。
【００１３】
また、この第１の側面において、上記制御部は、上記情報処理装置が横向き状態で使用されている場合には上記第１再生アプリケーションを設定し、上記情報処理装置が縦向き状態で使用されている場合には上記第２再生アプリケーションを設定するようにしてもよい。これにより、情報処理装置が横向き状態で使用されている場合には、第１再生アプリケーションを設定し、情報処理装置が縦向き状態で使用されている場合には、第２再生アプリケーションを設定するという作用をもたらす。
【００１４】
また、この第１の側面において、上記制御部は、上記撮像装置および上記情報処理装置の装着状態に基づいて上記再生アプリケーションを設定する制御を行うようにしてもよい。これにより、撮像装置および情報処理装置の装着状態に基づいて再生アプリケーションを設定するという作用をもたらす。
【００１５】
また、この第１の側面において、上記制御部は、無線通信を利用した上記撮像装置および上記情報処理装置間の接続状態に基づいて上記再生アプリケーションを設定する制御を行うようにしてもよい。これにより、無線通信を利用した撮像装置および情報処理装置間の接続状態に基づいて再生アプリケーションを設定するという作用をもたらす。
【００１６】
また、この第１の側面において、上記制御部は、上記情報処理装置が使用される姿勢に基づいて上記再生アプリケーションを設定する制御を行うようにしてもよい。これにより、情報処理装置が使用される姿勢に基づいて再生アプリケーションを設定するという作用をもたらす。
【００１７】
また、本技術の第２の側面は、撮像動作により生成された画像を再生する再生アプリケーションを、無線通信を利用して接続される情報処理装置の使用態様に基づいて上記情報処理装置に設定する制御を行う制御部を具備する撮像装置およびその制御方法ならびに当該方法をコンピュータに実行させるプログラムである。これにより、情報処理装置の使用態様に基づいて、再生アプリケーションを情報処理装置に設定するという作用をもたらす。
【００１８】
また、本技術の第３の側面は、撮像動作により生成された画像を、無線通信を利用して接続される情報処理装置に提供する撮像装置と、上記撮像装置から提供された画像を再生する再生アプリケーションを上記情報処理装置の使用態様に基づいて設定する制御を行う情報処理装置とを具備する撮像システムおよびその制御方法ならびに当該方法をコンピュータに実行させるプログラムである。これにより、再生アプリケーションを情報処理装置の使用態様に基づいて設定するという作用をもたらす。
【発明の効果】
【００１９】
本技術によれば、装置の使用態様に応じた適切な再生アプリケーションを迅速に使用することができるという優れた効果を奏し得る。なお、ここに記載された効果は必ずしも限定されるものではなく、本開示中に記載されたいずれかの効果であってもよい。
【図面の簡単な説明】
【００２０】
【図１】本技術の第１の実施の形態における撮像装置１００の外観構成を示す図である。
【図２】本技術の第１の実施の形態における撮像装置１００を情報処理装置２００に取り付けた場合の外観構成を示す図である。
【図３】本技術の第１の実施の形態における撮像装置１００および情報処理装置２００の機能構成例を示すブロック図である。
【図４】本技術の第１の実施の形態における撮像装置１００および情報処理装置２００の使用例を示す図である。
【図５】本技術の第１の実施の形態における入出力部２４０に表示される表示画面の表示例を示す図である。
【図６】本技術の第１の実施の形態における入出力部２４０に表示される表示画面の表示例を示す図である。
【図７】本技術の第１の実施の形態における入出力部２４０に表示される表示画面の表示例を示す図である。
【図８】本技術の第１の実施の形態における入出力部２４０に表示される表示画面の表示例を示す図である。
【図９】本技術の第１の実施の形態における入出力部２４０に表示される表示画面の表示例を示す図である。
【図１０】本技術の第１の実施の形態における情報処理装置２００による再生アプリケーション設定処理の処理手順の一例を示すフローチャートである。
【図１１】本技術の第２の実施の形態における情報処理装置２００による再生アプリケーション設定処理の処理手順の一例を示すフローチャートである。
【図１２】本技術の第３の実施の形態における情報処理装置２００による再生アプリケーション設定処理の処理手順の一例を示すフローチャートである。
【図１３】本技術の第３の実施の形態における情報処理装置２００による再生アプリケーション設定処理の処理手順の一例を示すフローチャートである。
【発明を実施するための形態】
【００２１】
以下、本技術を実施するための形態（以下、実施の形態と称する）について説明する。説明は以下の順序により行う。
１．第１の実施の形態（撮像装置および情報処理装置の装着状態に基づいて再生アプリケーションを設定する例）
２．第２の実施の形態（無線通信を利用して接続可能な撮像装置の存在の有無に基づいて再生アプリケーションを設定する例）
３．第３の実施の形態（情報処理装置の姿勢に基づいて再生アプリケーションを設定する例）
【００２２】
＜１．第１の実施の形態＞
［撮像装置の外観構成例］
図１は、本技術の第１の実施の形態における撮像装置１００の外観構成を示す図である。図１のａには、撮像装置１００の正面図を示し、図１のｂには、撮像装置１００の側面図（矢印Ａから見た場合における側面図）を示す。
【００２３】
また、本技術の実施の形態では、撮像装置１００を、円筒形（円柱形）の撮像装置（例えば、レンズスタイルのカメラ）とする例を示す。すなわち、撮像装置１００の形状を、一般の撮像装置（例えば、一体型カメラ）のレンズ部分のみを取り出したような形状とする例を示す。なお、撮像装置１００は、ズームレバーやシャッターボタン等の操作部材を備えるが、図１等では、これらの図示を省略する。また、撮像装置１００は、例えば、デジタルスチルカメラやデジタルビデオカメラ（例えば、カメラ一体型レコーダ）により実現される。
【００２４】
撮像装置１００は、操作部材１６１乃至１６３と、鏡筒１７０とを備える。鏡筒１７０は、光学系、撮像系等の各部材を収容するものである。
【００２５】
また、撮像装置１００には、アダプタ１８０が取り付けられる。アダプタ１８０は、取付部材１８１、１８２を備え、撮像装置１００の後方の面（図１のａに示すレンズ側の面の反対側の面）に着脱可能な取付部材（アタッチメント）である。なお、図１では、鏡筒１７０およびアダプタ１８０を異なる部材として構成する例を示すが、鏡筒１７０およびアダプタ１８０を一体として構成するようにしてもよい。
【００２６】
操作部材１６１乃至１６３は、各種の操作入力を行う際に用いられる操作部材である。例えば、操作部材１６１は、撮像装置１００のシャッター操作（撮像部１１０（図３に示す）により生成される画像（画像データ）を画像コンテンツとして記録するための操作）を行う際に用いられる操作部材（シャッターボタン）である。また、操作部材１６２は、撮像装置１００のズーム操作を行う際に用いられる操作部材（ズームレバー）である。また、操作部材１６３は、撮像装置１００の電源のオンオフ操作を行う際に用いられる操作部材（電源ボタン）である。
【００２７】
取付部材１８１、１８２は、撮像装置１００を他の装置（例えば、図２に示す情報処理装置２００）に取り付ける際に用いられる挟持部材である。例えば、他の装置の形状、サイズに応じて、取付部材１８１を矢印１８３方向に移動させ、取付部材１８２を矢印１８４方向に移動させることにより、撮像装置１００をその装置に取り付けることができる。すなわち、取付部材１８１、１８２は、撮像装置１００を他の装置に固定するための挟持部材である。また、撮像装置１００を他の装置に装着する場合のアタッチメント面を装着面１８５（図１のａに示すレンズ側の面の反対側の面）として示す。なお、撮像装置１００を他の装置に取り付ける場合の例を図２に示す。
【００２８】
このように、撮像装置１００は、例えば、通常の撮像動作を行うことが可能であるとともに、他の装置（例えば、スマートフォン）に装着して使用することができる。また、他の装置に装着して使用する場合には、他の装置を用いた遠隔操作により撮像装置１００を操作することができる。
【００２９】
［撮像装置の取付例］
図２は、本技術の第１の実施の形態における撮像装置１００を情報処理装置２００に取り付けた場合の外観構成を示す図である。
【００３０】
図２のａおよびｂには、情報処理装置２００の一面（撮像部２９２が備えられている面）に撮像装置１００を取り付けた場合の例を示す。図２のａには、情報処理装置２００に撮像装置１００を取り付けた場合の正面図を示す。また、図２のｂには、情報処理装置２００に撮像装置１００を取り付けた場合の斜視図を示す。
【００３１】
情報処理装置２００は、操作部材２２１乃至２２３と、入出力部２４０（図３、図５等に示す）と、音声出力部２８０と、発光部２９１と、撮像部２９２とを備える。なお、情報処理装置２００は、例えば、スマートフォン、タブレット端末等の情報処理装置により実現される。
【００３２】
操作部材２２１乃至２２３は、各種の操作入力を行う際に用いられる操作部材である。例えば、操作部材２２１は、情報処理装置２００のシャッター操作（撮像部２９２により生成される画像（画像データ）を画像コンテンツとして記録するための操作）を行う際に用いられる操作部材（シャッターボタン）である。また、操作部材２２２は、音声出力部２８０から出力される音量を調整するための操作を行う際に用いられる操作部材（音量調整ボタン（音量バー））である。また、操作部材２２３は、情報処理装置２００の電源のオンオフ操作を行う際に用いられる操作部材（電源ボタン）である。
【００３３】
入出力部２４０は、各種画像を表示するとともに、入出力部２４０の表示面に近接または接触する物体の検出状態に基づいてユーザからの操作入力を受け付けるものである。
【００３４】
音声出力部２８０は、各種の音声情報を出力するものである。
【００３５】
発光部２９１は、被写体に対して光を発光させる発光装置である。発光部２９１は、例えば、夜間や室内等のように十分な明るさが期待できない環境において情報処理装置２００を用いて撮像動作を行う際に用いられる。
【００３６】
撮像部２９２は、被写体を撮像して画像（画像データ）を生成するものである。
【００３７】
図２に示すように、アダプタ１８０の取付部材１８１、１８２により情報処理装置２００の本体を挟むことにより、撮像装置１００を情報処理装置２００に固定することができる。なお、情報処理装置２００における他の部分（図２に示す部分以外の部分）に撮像装置１００を取り付けるようにしてもよい。
【００３８】
［撮像装置および情報処理装置の機能構成例］
図３は、本技術の第１の実施の形態における撮像装置１００および情報処理装置２００の機能構成例を示すブロック図である。なお、撮像装置１００および情報処理装置２００により構成される撮像システムは、請求の範囲に記載の撮像システムの一例である。
【００３９】
［撮像装置の機能構成例］
撮像装置１００は、撮像部１１０と、画像処理部１２０と、記憶部１３０と、制御部１４０と、無線通信部１５０と、操作受付部１６０とを備える。
【００４０】
撮像部１１０は、制御部１４０の制御に基づいて、被写体を撮像して画像（画像データ）を生成するものであり、生成された画像を画像処理部１２０に出力する。撮像部１１０は、例えば、光学系（複数のレンズ）、撮像素子により構成される。また、撮像部１１０は、制御部１４０の制御に基づいて、各部（例えば、ズームレンズ、フォーカスレンズ、絞り）が制御される。なお、本技術の実施の形態では、「画像」と記載した場合には、画像そのものと、その画像を表示するための画像データとの両方の意味を含むものとする。
【００４１】
画像処理部１２０は、制御部１４０の制御に基づいて、撮像部１１０から出力された画像について所定の画像処理（例えば、デモザイク処理）を施すものであり、その画像処理が施された画像を記憶部１３０に記憶させる。なお、画像処理部１２０により画像処理が施された画像については、無線通信を利用して情報処理装置２００に送信して記憶部２７０に記憶させるようにしてもよい。
【００４２】
記憶部１３０は、画像処理部１２０により画像処理が施された画像をコンテンツ（例えば、静止画ファイル、動画ファイル）として記憶する記録媒体である。なお、記憶部１３０は、撮像装置１００に内蔵するようにしてもよく、撮像装置１００から着脱可能とするようにしてもよい。
【００４３】
制御部１４０は、制御プログラムに基づいて撮像装置１００における各部を制御するものである。例えば、制御部１４０は、撮像装置１００に備えられているズームレバーやシャッターボタン等の操作部材（操作受付部１６０）により受け付けられた操作入力に基づいて各部を制御する。また、制御部１４０は、無線通信部１５０を介して受信される情報処理装置２００からの制御情報に基づいて各部を制御する。すなわち、情報処理装置２００を用いて撮像装置１００を遠隔操作することができる。
【００４４】
無線通信部１５０は、制御部１４０の制御に基づいて、無線通信を利用して、他の情報処理装置（例えば、情報処理装置２００）との間で各情報（例えば、制御データ、画像データ）の送受信を行うものである。
【００４５】
ここで、無線通信として、例えば、無線ＬＡＮ（Local Area Network）を用いることができる。この無線ＬＡＮとして、例えば、Ｗｉ−Ｆｉ（Wireless Fidelity）を用いることができる。また、無線通信として、例えば、Ｂｌｕｅｔｏｏｔｈ（登録商標）、ＮＦＣ（Near Field Communication）、赤外線、携帯電波等の無線通信を用いることができる。
【００４６】
また、複数の無線通信方式を用いることができる。例えば、無線通信の開始時には、ＮＦＣにより電源のオンとＷｉ−Ｆｉに関するデータ（例えば、ＳＳＩＤ（Service Set Identifier））のやりとりのみを行う。そして、これ以降のデータのやりとりについては、Ｗｉ−Ｆｉにより行うことができる。
【００４７】
また、例えば、撮像装置１００の情報処理装置２００への装着を検出する際には、ＮＦＣによるデータのやりとりを用いることができる。また、撮像装置１００および情報処理装置２００間の画像データや制御データのやりとりについては、Ｗｉ−Ｆｉを利用して行うことができる。
【００４８】
操作受付部１６０は、ユーザにより行われた操作を受け付ける操作受付部であり、受け付けられた操作内容に応じた制御情報（操作情報）を制御部１４０に出力する。なお、操作受付部１６０は、例えば、図１に示す操作部材１６１乃至１６３に対応する。
【００４９】
［情報処理装置の機能構成例］
情報処理装置２００は、姿勢検出部２１０と、操作受付部２２０と、無線通信部２３０と、入出力部２４０と、制御部２５０と、画像処理部２６０と、記憶部２７０と、音声出力部２８０とを備える。
【００５０】
姿勢検出部２１０は、情報処理装置２００の加速度、動き、傾き等を検出することにより情報処理装置２００の姿勢を検出するものであり、検出された姿勢に関する姿勢情報を制御部２５０に出力する。なお、姿勢検出部２１０として、例えば、ジャイロセンサ、加速度センサ等の各種センサを用いることができる。
【００５１】
操作受付部２２０は、ユーザにより行われた操作を受け付ける操作受付部であり、受け付けられた操作内容に応じた制御情報（操作情報）を制御部２５０に出力する。なお、操作受付部２２０は、例えば、図２に示す操作部材２２１乃至２２３に対応する。
【００５２】
無線通信部２３０は、制御部２５０の制御に基づいて、無線通信を利用して他の情報処理装置（例えば、撮像装置１００）との間で各情報（例えば、制御データ、画像データ）の送受信を行うものである。無線通信として、例えば、上述した無線ＬＡＮ（例えば、Ｗｉ−Ｆｉ）、ＮＦＣ、Ｂｌｕｅｔｏｏｔｈ、赤外線、携帯電波等を用いることができる。また、複数の無線通信方式を用いるようにしてもよい。
【００５３】
入出力部２４０は、入力部２４１および表示部２４２が一体として構成されているものである。また、入出力部２４０は、制御部２５０の制御に基づいて各種画像を表示部２４２に表示するとともに、表示部２４２の表示面に近接または接触する物体の検出状態に基づいてユーザからの操作入力を入力部２４１により受け付ける。また、入力部２４１は、受け付けられた操作入力に応じた制御情報を制御部２５０に出力する。
【００５４】
例えば、入力部２４１として、導電性を有する物体（例えば、人物の指）の接触または近接を、静電容量の変化に基づいて検出する静電式（静電容量方式）のタッチパネルを用いることができる。また、例えば、表示部２４２として、ＬＣＤ（Liquid Crystal Display）、有機ＥＬ（Electro Luminescence）パネル等の表示パネルを用いることができる。そして、入出力部２４０は、例えば、表示パネルの表示面上に、透明なタッチパネルを重ね合わせることにより構成される。
【００５５】
例えば、ユーザは表示部２４２に表示されている操作対象物等の接触操作（または、近接操作）を行うことにより情報処理装置２００や撮像装置１００の操作が可能となる。ここで、操作対象物は、例えば、図５に示すシャッターボタン３０１、操作対象物３０２のように、入出力部２４０に表示されるものであり、操作入力を行うための操作ボタン（ＧＵＩ（Graphical User Interface）ボタン）等である。
【００５６】
制御部２５０は、制御プログラムに基づいて情報処理装置２００における各部を制御するものである。例えば、制御部２５０は、姿勢検出部２１０からの姿勢情報に基づいて、情報処理装置２００の姿勢を判断し、この判断結果に基づいて、入出力部２４０に表示させる表示画面の表示態様を切り替える。例えば、制御部２５０は、姿勢検出部２１０からの姿勢情報に基づいて、情報処理装置２００の姿勢の上下方向を判断し、この判断結果に基づいて、入出力部２４０に表示させる表示画面の上下方向を切り替える。
【００５７】
また、例えば、制御部２５０は、無線通信を利用して接続される撮像装置１００による撮像動作により生成される画像を再生する再生アプリケーションを情報処理装置２００の使用態様に基づいて設定する制御を行う。ここで、情報処理装置２００の使用態様は、例えば、撮像装置１００および情報処理装置２００の装着状態、撮像装置１００および情報処理装置２００の接続状態、情報処理装置２００の姿勢である。
【００５８】
また、例えば、制御部２５０は、ユーザ操作に基づいて再生アプリケーションの起動が指示されたタイミング、または、ユーザ操作に基づいて画像の記録処理が行われたタイミングでの情報処理装置２００の使用態様を判断する。そして、制御部２５０は、その判断結果に基づいて再生アプリケーションを設定する。
【００５９】
また、制御部２５０は、起動後も無線通信を利用した撮像装置１００との接続を維持する簡易再生アプリケーションと、起動後は無線通信を利用した撮像装置１００との接続が切断される再生編集アプリケーションとの何れかを設定する。
【００６０】
また、例えば、制御部２５０は、撮像装置１００および情報処理装置２００の装着状態に基づいて、再生アプリケーションを設定する制御を行う。この場合には、制御部２５０は、撮像装置１００が情報処理装置２００に装着されている場合には、簡易再生アプリケーションを設定し、撮像装置１００が情報処理装置２００に装着されていない場合には、再生編集アプリケーションを設定する。
【００６１】
また、例えば、制御部２５０は、無線通信を利用した撮像装置１００および情報処理装置２００間の接続状態に基づいて、再生アプリケーションを設定する制御を行う。この場合には、制御部２５０は、無線通信を利用して撮像装置１００および情報処理装置２００が接続されている場合には、簡易再生アプリケーションを設定する。一方、制御部２５０は、無線通信を利用した撮像装置１００および情報処理装置２００間の接続が切断されている場合には、再生編集アプリケーションを設定する。なお、この例については、本技術の第２の実施の形態で示す。
【００６２】
また、例えば、制御部２５０は、情報処理装置２００が使用される姿勢に基づいて、再生アプリケーションを設定する制御を行う。この場合に、制御部２５０は、情報処理装置２００が横向き状態で使用されている場合には、簡易再生アプリケーションを設定し、情報処理装置２００が縦向き状態で使用されている場合には、再生編集アプリケーションを設定する。なお、この例については、本技術の第３の実施の形態で示す。
【００６３】
画像処理部２６０は、制御部２５０の制御に基づいて、撮像装置１００により生成された画像や撮像部２９２（図２のａおよびｂに示す）により生成された画像について所定の画像処理を施すものであり、その画像処理が施された画像を表示部２４２に表示させる。また、画像処理部２６０は、制御部２５０の制御に基づいて、それらの画像を記憶部２７０に記憶させる。また、画像処理部２６０は、制御部２５０の制御に基づいて、撮像装置１００を用いた撮像動作が行われている場合に用いられる表示画面を表示部２４２に表示させる。
【００６４】
記憶部２７０は、制御部２５０の制御に基づいて、各情報を記憶する記録媒体である。例えば、記憶部２７０には、撮像装置１００により生成された画像や撮像部２９２（図２のａおよびｂに示す）により生成された画像がコンテンツ（例えば、静止画ファイル、動画ファイル）として記憶される。なお、記憶部２７０は、情報処理装置２００に内蔵するようにしてもよく、情報処理装置２００から着脱可能とするようにしてもよい。
【００６５】
音声出力部２８０は、制御部２５０の制御に基づいて、音声情報を出力するものである。音声出力部２８０は、例えば、スピーカにより実現することができる。
【００６６】
［撮像装置および情報処理装置の使用例］
図４は、本技術の第１の実施の形態における撮像装置１００および情報処理装置２００の使用例を示す図である。
【００６７】
図４のａには、情報処理装置２００に撮像装置１００を装着して使用する場合の一例を示す。例えば、図２のａおよびｂに示すように、情報処理装置２００の一面（入出力部２４０が設けられている面の反対側の面）に撮像装置１００を装着することができる。この場合には、ユーザ１は、撮像装置１００が装着されている情報処理装置２００を用いて、一般の撮像装置（例えば、一体型カメラ）を使用した撮影と略同様に撮影を行うことができる。例えば、ユーザ１は、情報処理装置２００を横向き状態として使用することができる。
【００６８】
ここで、横向き状態は、情報処理装置２００の長手方向を水平方向（重力方向と垂直な方向）と同一（略同一、水平方向に近い状態を含む）とする状態を意味するものとする。例えば、図２のａおよびｂに示す状態である。
【００６９】
図４のｂには、撮像装置１００を装着せずに、情報処理装置２００のみを使用する場合の一例を示す。例えば、ユーザ１は、情報処理装置２００を縦向き状態として使用することができる。
【００７０】
ここで、縦向き状態は、情報処理装置２００の長手方向を垂直方向（重力方向と平行な方向）と同一（略同一、水平方向に近い状態を含む）とする状態を意味するものとする。例えば、入出力部２４０の表示面に直交する軸を回転軸として、横向き状態の情報処理装置２００を９０度回転させることにより、情報処理装置２００を縦向き状態とすることができる。同様に、入出力部２４０の表示面に直交する軸を回転軸として、縦向き状態の情報処理装置２００を９０度回転させることにより、情報処理装置２００を横向き状態とすることができる。また、横向き状態、縦向き状態は、姿勢検出部２１０からの姿勢情報に基づいて判断することができる。
【００７１】
［撮像装置および情報処理装置間の接続関係の判定例］
ここで、撮像装置１００および情報処理装置２００間の接続関係を判定する方法について説明する。
【００７２】
［受信電波強度を用いた距離の推定例］
例えば、受信電波強度を用いて撮像装置１００および情報処理装置２００間の距離を推定することができる。例えば、受信電波強度と距離との関係を示すテーブルを予め作成しておき、記憶部２７０に記憶しておく。そして、情報処理装置２００の制御部２５０は、無線通信部２３０により取得された受信電波強度に対応する距離をそのテーブルから取得し、この距離を撮像装置１００および情報処理装置２００間の距離として用いることができる。また、情報処理装置２００の制御部２５０は、そのテーブルから取得された距離が閾値（例えば、１乃至１０ｃｍ）未満である場合には、撮像装置１００が情報処理装置２００に装着されていると判断することができる。
【００７３】
［装着を検出するための部材を用いる例］
例えば、情報処理装置２００に撮像装置１００が装着されたことを検出するための部材を用いて撮像装置１００の装着を検出することができる。その部材として、例えば、撮像装置１００および情報処理装置２００の少なくとも一方にスイッチを設けることができる。
【００７４】
例えば、撮像装置１００にスイッチを設ける場合を想定する。この場合には、情報処理装置２００に撮像装置１００が装着されたときには、そのスイッチによりその装着が検出され、その装着が検出された旨を示す情報が制御部１４０に出力される。そして、その装着が検出された旨を示す情報を取得した場合には、制御部１４０は、その旨を無線通信部１５０を介して情報処理装置２００に送信する。これにより、情報処理装置２００の制御部２５０は、情報処理装置２００に撮像装置１００が装着されたことを検出することができる。
【００７５】
また、例えば、情報処理装置２００にスイッチを設ける場合を想定する。この場合に、情報処理装置２００に撮像装置１００が装着されたときには、そのスイッチによりその装着が検出され、その装着が検出された旨を示す情報が制御部２５０に出力される。これにより、情報処理装置２００の制御部２５０は、情報処理装置２００に撮像装置１００が装着されたことを検出することができる。
【００７６】
また、他のセンサを用いて、撮像装置１００および情報処理装置２００間の距離を検出するようにしてもよい。例えば、距離センサ（例えば、赤外線や超音波を用いて距離を検出するセンサ）を用いることができる。また、例えば、ＧＰＳ（Global Positioning System）を用いて撮像装置１００および情報処理装置２００間の距離を検出するようにしてもよい。例えば、ＧＰＳを用いて撮像装置１００および情報処理装置２００のそれぞれの位置を取得し、これらの位置に基づいて撮像装置１００および情報処理装置２００間の距離を算出することができる。また、情報処理装置２００の制御部２５０は、その算出された距離が閾値（例えば、１乃至１０ｃｍ）未満である場合には、撮像装置１００が情報処理装置２００に装着されていると判断することができる。
【００７７】
［近距離無線通信を用いて撮像装置の装着を検出する例］
例えば、近距離無線通信を用いて撮像装置１００の情報処理装置２００への装着を検出することができる。ここでは、近距離無線通信として、ＮＦＣを用いる例を示す。
【００７８】
例えば、ＮＦＣでは、装置間で定期的な通信が行われる。例えば、情報処理装置２００から定期的にＰｏｌｌｉｎｇ  Ｃｏｍｍａｎｄが発行される。このＰｏｌｌｉｎｇ  Ｃｏｍｍａｎｄは、ＮＦＣ規格で定められているＮＦＣ  Ｔａｇの判別用コマンドである（例えば、NFC Forum Type3 Tag Operation Specification NFC Forum-TS-Type-3-Tag_1.1参照。）。
【００７９】
例えば、定期的に発行されるＰｏｌｌｉｎｇ  Ｃｏｍｍａｎｄに対する応答（Ｐｏｌｌｉｎｇ  Ｒｅｓｐｏｎｃｅ）がある場合には、情報処理装置２００は、近接する装置が存在すると判断することができる。ここで、ＮＦＣを利用したデータ通信が可能となる距離は、１乃至１０ｃｍ程度である。そこで、Ｐｏｌｌｉｎｇ  Ｒｅｓｐｏｎｃｅがある場合には、情報処理装置２００の制御部２５０は、撮像装置１００が情報処理装置２００に装着されたと判断することができる。
【００８０】
また、Ｐｏｌｌｉｎｇ  Ｃｏｍｍａｎｄに対する応答（Ｐｏｌｌｉｎｇ  Ｒｅｓｐｏｎｃｅ）がない場合には、情報処理装置２００は、近接する装置が存在しないと判断することができる。この場合には、情報処理装置２００の制御部２５０は、撮像装置１００が情報処理装置２００に装着されていないと判断することができる。
【００８１】
ここで、ＮＦＣは、広く普及している。また、ＮＦＣは、スマートフォン等の情報処理装置に搭載されていることが多い。このため、ＮＦＣを搭載している情報処理装置の場合には、ＮＦＣを用いた装着の検出を行うことにより、その検出を行うためのハードウエアを新たに設ける必要がない。これにより、情報処理装置の製造コストを低減させることができる。
【００８２】
ここで、例えば、撮像装置が情報処理装置に装着されずに、撮像装置および情報処理装置が近接しているような場合も想定される。このような場合に、ＮＦＣ以外の近距離無線通信を利用して装着検出をすると、撮像装置が装着されていると誤検出されてしまうおそれがあるが、近距離無線通信としてＮＦＣを利用することにより、撮像装置の装着検出の精度を高めることができる。
【００８３】
［Ｃｈｅｃｋ  ＣｏｍｍａｎｄおよびＣｈｅｃｋ  Ｒｅｓｐｏｎｃｅを用いて撮像装置の装着を検出する例］
以上では、ＮＦＣを用いて撮像装置の装着を検出する例を示した。このように、ＮＦＣを用いて撮像装置の装着を検出する場合には、Ｃｈｅｃｋ  ＣｏｍｍａｎｄおよびＣｈｅｃｋ  Ｒｅｓｐｏｎｃｅを用いて撮像装置の装着を検出するようにしてもよい。
【００８４】
例えば、Ｃｈｅｃｋ  ＣｏｍｍａｎｄおよびＣｈｅｃｋ  Ｒｅｓｐｏｎｃｅのやりとりを行い、Ｃｈｅｃｋ  Ｒｅｓｐｏｎｃｅに特定情報が含まれている場合に、撮像装置１００が情報処理装置２００に装着されていると判断することができる。ここで、特定情報は、撮像装置１００を特定するための情報（識別情報）である。また、ｃｈｅｃｋ  ｃｏｍｍａｎｄおよびｃｈｅｃｋ  ｒｅｓｐｏｎｓｅは、ＮＦＣ  ｔａｇの内容を読み出すためのコマンドである。このコマンドは、ＮＦＣ  Ｆｏｒｕｍ  Ｔｙｐｅ３  Ｔａｇ  Ｏｐｅｒａｔｉｏｎ  Ｓｐｅｃｉｆｉｃａｔｉｏｎに定義されている。
【００８５】
例えば、上述したように、Ｐｏｌｌｉｎｇ  Ｃｏｍｍａｎｄの発行、Ｐｏｌｌｉｎｇ  Ｃｏｍｍａｎｄに対する応答（Ｐｏｌｌｉｎｇ  Ｒｅｓｐｏｎｃｅ）のやりとりが行われる。
【００８６】
そして、Ｐｏｌｌｉｎｇ  Ｒｅｓｐｏｎｃｅを受信すると、情報処理装置２００の制御部２５０は、Ｃｈｅｃｋ  Ｃｏｍｍａｎｄを送信する。このＣｈｅｃｋ  Ｃｏｍｍａｎｄを受信すると、撮像装置１００の制御部１４０は、Ｃｈｅｃｋ  Ｃｏｍｍａｎｄに対する応答（Ｃｈｅｃｋ  Ｒｅｓｐｏｎｃｅ）を送信する。この場合に、撮像装置１００の制御部１４０は、特定情報（撮像装置１００を特定するための情報（識別情報））をＣｈｅｃｋ  Ｒｅｓｐｏｎｃｅに含めて送信する。
【００８７】
例えば、「ＡＢＣ  ＤＳＣ／Ｌｅｎｓ−Ｓｔｙｌｅ  Ｃａｍｅｒａ」を表す情報を特定情報としてＣｈｅｃｋ  Ｒｅｓｐｏｎｃｅに含めて送信することができる。ここで、例えば、「ＡＢＣ」は、撮像装置１００を製造する会社名を示す情報であり、「ＤＳＣ」は、撮像装置である旨を示す情報であるものとする。また、「Ｌｅｎｓ−Ｓｔｙｌｅ  Ｃａｍｅｒａ」は、レンズスタイルのカメラである旨を示す情報であるものとする。
【００８８】
このように、撮像装置１００の制御部１４０は、特定情報をＣｈｅｃｋ  Ｒｅｓｐｏｎｃｅに含めて送信する。これにより、Ｃｈｅｃｋ  Ｒｅｓｐｏｎｃｅを受信した情報処理装置２００は、Ｃｈｅｃｋ  Ｒｅｓｐｏｎｃｅに含まれる特定情報に基づいて、Ｃｈｅｃｋ  Ｒｅｓｐｏｎｃｅを送信した装置が撮像装置１００であることを把握することができる。すなわち、Ｃｈｅｃｋ  Ｒｅｓｐｏｎｃｅを送信した装置が、「ＡＢＣ」会社製のレンズスタイルのカメラ（撮像装置１００）であることを把握することができる。
【００８９】
Ｃｈｅｃｋ  Ｒｅｓｐｏｎｃｅを受信すると、情報処理装置２００の制御部２５０は、Ｃｈｅｃｋ  Ｒｅｓｐｏｎｃｅの内容を取得する。続いて、情報処理装置２００の制御部２５０は、Ｃｈｅｃｋ  Ｒｅｓｐｏｎｃｅに特定情報が含まれているか否かを判断する。そして、情報処理装置２００の制御部２５０は、Ｃｈｅｃｋ  Ｒｅｓｐｏｎｃｅに特定情報が含まれている場合には、撮像装置１００が装着されていると判定する。一方、情報処理装置２００の制御部２５０は、Ｃｈｅｃｋ  Ｒｅｓｐｏｎｃｅに特定情報が含まれていない場合には、撮像装置１００が装着されていないと判定する。
【００９０】
なお、この例では、情報処理装置２００がＮＦＣを用いて撮像装置１００の装着を検出する例を示すが、撮像装置１００がＮＦＣを用いて情報処理装置２００の装着を検出する場合についても同様に適用することができる。
【００９１】
なお、上述した距離の検出方法や装着の検出方法は、一例であり、これらに限定されるものではなく、他の検出方法を用いるようにしてもよい。
【００９２】
［再生アプリケーション例］
本技術の実施の形態では、撮像部１１０により生成された画像を入出力部２４０に表示（閲覧）させるための再生アプリケーションとして、２種類の再生アプリケーション（ビューア（Ｖｉｅｗｅｒ））を設定する例を示す。具体的には、２種類の再生アプリケーション（ビューア）として、再生編集アプリケーション（再生編集ビューア）および簡易再生アプリケーション（簡易ビューア）を設定する例を示す。
【００９３】
再生編集アプリケーションは、例えば、画像（例えば、静止画、動画）再生専用のビューア（本格ビューア）や編集機能に特化した再生アプリケーションである。再生編集アプリケーションは、例えば、情報処理装置２００（例えば、スマートフォン）にプリインストールされている再生アプリケーション（例えば、ギャラリーアプリケーション）や、ユーザが任意でダウンロードした再生アプリケーションである。
【００９４】
また、再生編集アプリケーションには、ＳＮＳ（Social Networking Service）アプリケーションへの連携機能や写真の編集機能が豊富に提供されている。また、再生編集アプリケーションは、ユーザが使用し易いものを選ぶことができる。
【００９５】
しかしながら、再生編集アプリケーションの起動中には、ＳＮＳ等にすぐにアップロードすることができるように、情報処理装置２００がネットワークに接続される（例えば、アクセスポイントを介して接続される）。このため、再生編集アプリケーションの起動中には、無線通信を利用した情報処理装置２００および撮像装置１００間の接続（例えば、Ｗｉ−Ｆｉ接続）が切断される。
【００９６】
簡易アプリケーションは、例えば、撮像装置１００のリモコンアプリケーションが提供するビューア（例えば、リモコン付属ビューア）であり、主に、撮像部１１０による撮像動作後の確認用の再生アプリケーションである。ここで、簡易アプリケーションの起動中には、無線通信を利用した情報処理装置２００および撮像装置１００間の接続（例えば、Ｗｉ−Ｆｉ接続）が維持される。このため、情報処理装置２００は、ネットワークに接続されない。ただし、簡易アプリケーションの起動中には、ＳＮＳ等にすぐにアップロードすることができない。
【００９７】
例えば、ユーザ１が撮像装置１００および情報処理装置２００を用いて撮像動作を行った後に、ユーザが使用したいと考えるビューアは、その使用態様、環境によって異なることが想定される。そこで、本技術の実施の形態では、装置の使用態様に応じた適切な再生アプリケーションを設定する例を示す。
【００９８】
［表示画面の表示例］
図５乃至図９は、本技術の第１の実施の形態における入出力部２４０に表示される表示画面の表示例を示す図である。
【００９９】
図５には、撮像装置１００および情報処理装置２００を用いた撮像動作により生成された画像がポストビュー画像として入出力部２４０に表示される場合の表示例を示す。
【０１００】
例えば、撮像装置１００および情報処理装置２００を用いた撮像動作（例えば、静止画の撮像動作）が行われている場合には、撮像装置１００の撮像部１１０により生成された画像がライブビュー画像として入出力部２４０に表示される。すなわち、撮像装置１００の撮像部１１０により生成された画像が、無線通信部１５０、２３０を介して、情報処理装置２００に順次送信され、その画像がライブビュー画像として入出力部２４０に表示される。なお、撮像装置１００および情報処理装置２００間の画像データや制御データのやりとりについては、Ｗｉ−Ｆｉを利用して行うことができる。
【０１０１】
このように、ライブビュー画像が入出力部２４０に表示されている場合に、ユーザがシャッターボタン３０１を押下すると、その押下のタイミングで、撮像部１１０により生成された画像の記録処理が行われる。そして、図５に示すように、記録処理の対象となる画像がポストビュー画像３００として入出力部２４０に表示される。
【０１０２】
なお、ユーザは、撮像装置１００のシャッターボタン（操作部材１６１）を押下して画像の記録指示を行うようにしてもよい。この場合には、その押下のタイミングで、撮像部１１０により生成された画像の記録処理が行われる。また、その押下のタイミングで、その押下が行われた旨と、その押下により画像の記録処理が行われる旨とが、撮像装置１００から情報処理装置２００に送信される。
【０１０３】
また、ポストビュー画像３００が表示されてから所定時間（例えば、数秒）以内にユーザ操作が行われない場合には、ライブビュー画像が入出力部２４０に表示される。すなわち、ポストビュー画像３００が表示されてから所定時間（例えば、数秒）以内にユーザ操作が行われない場合には、ポストビュー画像の表示モードから撮影モードに復帰する。
【０１０４】
また、撮影モードへの復帰後には、ライブビュー画像の表示→シャッターボタン押下→ポストビュー画像の表示（数秒）→ライブビュー画像の表示（撮影モードの復帰）…が繰り返し行われる。
【０１０５】
ここで、ポストビュー画像３００の表示とともに、撮像装置１００および情報処理装置２００を用いた撮像動作に関する各操作を行うための操作対象物（シャッターボタン３０１を含む）が入出力部２４０に表示される。この操作対象物は、例えば、ポストビュー画像３００の周り、または、ポストビュー画像３００に重ねて入出力部２４０に表示される。
【０１０６】
また、ポストビュー画像３００の表示とともに、簡易ビューアに遷移するための操作対象物３０２が表示される。図５では、直前に記録処理が行われた画像が操作対象物３０２として表示される例を示す。例えば、ポストビュー画像３００が表示されてから所定時間（例えば、数秒）以内にユーザが操作対象物３０２を押下すると、ポストビュー画像３００の表示モードから、簡易ビューアに遷移する。この遷移後の表示例を図６、図７に示す。
【０１０７】
図６、図７には、簡易再生アプリケーション（簡易ビューア）が起動されている場合に入出力部２４０に表示される表示画面の表示例を示す。
【０１０８】
図６には、図５に示す操作対象物３０２が押下された場合に表示される簡易ビューアの一例（表示画面３１０）を示す。なお、操作対象物３０２が押下された場合には、操作対象物３０２の押下時に入出力部２４０に表示されていたポストビュー画像３００と同一の画像が表示される。
【０１０９】
また、表示画面３１０には、操作対象物３１１および３１２が表示される。操作対象物３１１は、撮影モードに復帰する場合（ライブビュー画像の表示モード）に押下される操作対象物である。また、操作対象物３１２は、画像を一覧表示させる場合に押下される操作対象物である。この押下後の表示例を図７に示す。
【０１１０】
図７には、図６に示す操作対象物３１２が押下された場合に表示される簡易ビューアの一例（表示画面３２０）を示す。表示画面３２０には、例えば、簡易ビューアの起動時に表示可能な画像が一覧表示される。また、表示画面３２０には、操作対象物３２１が表示される。操作対象物３２１は、撮影モードに復帰する場合（ライブビュー画像の表示モード）に押下される操作対象物である。
【０１１１】
図８、図９には、再生編集ビューアが起動されている場合に入出力部２４０に表示される表示画面の表示例を示す。
【０１１２】
図８には、再生編集ビューアが起動されている場合に画像３３１をネットワークを介してアップロードするための操作を行う表示画面の一例（表示画面３３０）を示す。例えば、表示画面３３０において、ユーザが、画像３３１をアップロードすべき項目を操作対象物３３２から選択することにより、画像３３１についてユーザが希望するアップロードを行うことができる。
【０１１３】
図９には、再生編集ビューアが起動されている場合に画像３４１について所定の編集（加工）を行うための操作を行う表示画面の一例（表示画面３４０）を示す。例えば、表示画面３４０において、ユーザが、画像３４１に施す編集内容を操作対象物３４２から選択して、その編集を画像３４１上で行うことにより、画像３４１についてユーザが希望する編集を行うことができる。例えば、画像３４１の周りを所定の色で塗る編集を行うことができる。
【０１１４】
［再生アプリケーションの設定例］
最初に、撮像装置１００および情報処理装置２００の装着状態（取付状態）に基づいて再生アプリケーション（ビューア）を自動で設定する（切り替える）例について説明する。
【０１１５】
例えば、情報処理装置２００に撮像装置１００が装着されている場合を想定する。例えば、図４のａに示すように、情報処理装置２００に撮像装置１００が装着されて使用されている場合が想定される。このような場合には、撮像動作（例えば、静止画の撮像動作、動画の撮像動作）が継続して行われる可能性が高いと想定される。このため、ビューアにより画像を確認した後には、直ぐに撮影に復帰することを希望する可能性が高いと想定される。
【０１１６】
そこで、情報処理装置２００に撮像装置１００が装着されている場合には、無線通信を利用した撮像装置１００および情報処理装置２００間の接続が維持される簡易再生アプリケーション（簡易ビューア）を起動するようにする。これにより、ユーザは、簡易ビューアにより画像を確認した後に、直ぐに撮影に復帰することができる。
【０１１７】
一方、例えば、情報処理装置２００に撮像装置１００が装着されていない場合を想定する。例えば、図４のｂに示すように、ユーザが、情報処理装置２００のみを使用している場合が想定される。このような場合には、撮像動作（例えば、静止画の撮像動作、動画の撮像動作）が継続して行われる可能性が低いと想定される。このため、ビューアにより画像を確認した後には、直ぐに撮影に復帰することを希望しない可能性が高いと想定される。また、画像をアップロードすることを希望する可能性が高いと想定される。
【０１１８】
そこで、情報処理装置２００に撮像装置１００が装着されていない場合には、無線通信を利用した撮像装置１００および情報処理装置２００間の接続が切断される再生編集アプリケーション（再生編集ビューア）を起動するようにする。これにより、ユーザは、再生編集ビューアにより画像を確認した後に、その画像を直ぐにアップロードすることができる。
【０１１９】
ここで、再生アプリケーションを自動で設定するか否かを判断するタイミングは、例えば、ユーザ操作により再生アプリケーションの起動が指示されたタイミング、画像の記録処理が行われた直後のタイミングとすることができる。また、例えば、撮像装置１００および情報処理装置２００の装着状態が変化したタイミングとするようにしてもよい。
【０１２０】
なお、撮像装置１００および情報処理装置２００の装着状態が変化したタイミングで、再生アプリケーションを自動で設定する（切り替える）と判断された場合には、起動中のビューアを切り替えるか否かをユーザに確認するための通知を行うようにしてもよい。
【０１２１】
［情報処理装置の動作例］
図１０は、本技術の第１の実施の形態における情報処理装置２００による再生アプリケーション設定処理の処理手順の一例を示すフローチャートである。図１０では、ユーザ操作により再生アプリケーションの起動が指示されたタイミング、画像の記録処理が行われた直後のタイミングで、再生アプリケーションを設定する例を示す。
【０１２２】
最初に、制御部２５０は、情報処理装置２００において再生アプリケーション（ビューア）の起動が指示されたか否かを判断する（ステップＳ９０１）。例えば、ユーザ操作または自動で再生アプリケーション（ビューア）の起動が指示されたか否かが判断される（ステップＳ９０１）。
【０１２３】
再生アプリケーションの起動が指示された場合には（ステップＳ９０１）、ステップＳ９０３に進む。一方、再生アプリケーションの起動が指示されていない場合には（ステップＳ９０１）、制御部２５０は、画像の記録処理が行われたか否かを判断する（ステップＳ９０２）。例えば、静止画（１枚の静止画、連写による静止画）を記録するためのユーザ操作（例えば、シャッターボタンの押下操作）が受け付けられた場合にその記録処理が行われる。また、例えば、動画を記録するためのユーザ操作（例えば、録画ボタンの押下操作）が受け付けられた場合にその記録処理が行われる。画像の記録処理が行われていない場合には（ステップＳ９０２）、ステップＳ９０１に戻る。
【０１２４】
画像の記録処理が行われた場合には（ステップＳ９０２）、制御部２５０は、情報処理装置２００に撮像装置１００が装着されているか否かを判断する（ステップＳ９０３）。情報処理装置２００に撮像装置１００が装着されている場合には（ステップＳ９０３）、制御部２５０は、無線通信を利用した撮像装置１００との接続を維持する（ステップＳ９０４）。
【０１２５】
続いて、制御部２５０は、簡易再生アプリケーションを起動させる（ステップＳ９０５）。なお、再生編集アプリケーションが起動されている場合には、再生編集アプリケーションから簡易再生アプリケーションへの切り替えが行われる。
【０１２６】
また、情報処理装置２００に撮像装置１００が装着されていない場合には（ステップＳ９０３）、制御部２５０は、無線通信を利用した撮像装置１００との接続を切断する（ステップＳ９０６）。
【０１２７】
続いて、制御部２５０は、再生編集アプリケーションを起動させる（ステップＳ９０７）。なお、簡易再生アプリケーションが起動されている場合には、簡易再生アプリケーションから再生編集アプリケーションへの切り替えが行われる。なお、ステップＳ９０３乃至Ｓ９０７は、請求の範囲に記載の制御手順の一例である。
【０１２８】
＜２．第２の実施の形態＞
例えば、情報処理装置の近くに撮像装置が存在しない場合や、撮像装置の電源がオフされているような場合も想定される。このような場合には、情報処理装置は、無線通信を利用した撮像装置との接続を行うことができないため、情報処理装置のユーザが、撮像装置を用いた撮像動作を行う可能性は低いと想定される。
【０１２９】
そこで、本技術の第２の実施の形態では、無線通信を利用して接続可能な撮像装置の存在の有無に基づいて、再生アプリケーションを設定する（切り替える）例を示す。なお、本技術の第２の実施の形態における撮像装置および情報処理装置の構成については、図１乃至図３に示す撮像装置１００および情報処理装置２００と同一である。このため、本技術の第２の実施の形態における各装置については、本技術の第１の実施の形態と同一の符号を付してこれらの説明の一部を省略する。
【０１３０】
［情報処理装置の動作例］
図１１は、本技術の第２の実施の形態における情報処理装置２００による再生アプリケーション設定処理の処理手順の一例を示すフローチャートである。図１１では、図１０と同様に、ユーザ操作により再生アプリケーションの起動が指示されたタイミング、画像の記録処理が行われた直後のタイミングで、再生アプリケーションを設定する例を示す。なお、ステップＳ９１１、Ｓ９１２、Ｓ９１４、Ｓ９１５は、図１０に示すＳ９０１、Ｓ９０２、Ｓ９０５、Ｓ９０７に対応するため、ここでの詳細な説明を省略する。
【０１３１】
再生アプリケーションの起動が指示された場合（ステップＳ９１１）、または、画像の記録処理が行われた場合には（ステップＳ９１２）、制御部２５０は、無線通信を利用して撮像装置１００との接続が可能であるか否かを判断する（ステップＳ９１３）。
【０１３２】
例えば、制御部２５０は、無線通信として無線ＬＡＮ（例えば、Ｗｉ−Ｆｉ）を利用する場合には、無線ＬＡＮの通信状態を検索し、予め登録されている機器（撮像装置１００）が発見されたか否かを判断する。また、例えば、制御部２５０は、無線ＬＡＮの通信機能を備える機器が利用可能な周波数帯域をスキャンし、該当する機器（撮像装置１００）のＥＳＳＩＤ（Extended Service Set Identifier）が発見されたか否かを判断する。
【０１３３】
無線通信を利用した撮像装置１００との接続が可能である場合には（ステップＳ９１３）、制御部２５０は、簡易再生アプリケーションを起動させる（ステップＳ９１４）。
【０１３４】
例えば、無線通信を利用した撮像装置１００との接続が可能である場合（例えば、撮像装置１００のＥＳＳＩＤが発見された場合）には、撮像装置１００の電源がオン状態であり、かつ、撮像装置１００との距離が近いことが想定される。このような場合には、撮像装置１００を用いた撮影が再度行われることも予測されるため、簡易再生アプリケーションを起動させる。
【０１３５】
また、無線通信を利用した撮像装置１００との接続が可能でない場合には（ステップＳ９１３）、制御部２５０は、再生編集アプリケーションを起動させる（ステップＳ９１５）。
【０１３６】
例えば、無線通信を利用した撮像装置１００との接続が可能でない場合（例えば、撮像装置１００のＥＳＳＩＤが発見されない場合）には、撮像装置１００の電源がオフされている場合、撮像装置１００との距離が離れている場合等が想定される。このような場合には、撮像装置１００を用いた撮影が終了していると予測されるため、再生編集アプリケーションを起動させる。
【０１３７】
＜３．第３の実施の形態＞
例えば、スマートフォン等の情報処理装置は、縦向き状態で使用されることが多い。これに対して、撮像装置を装着した状態で撮像動作を行う場合には、スマートフォン等の情報処理装置は、横向き状態で使用されることが多いと想定される。
【０１３８】
そこで、本技術の第３の実施の形態では、情報処理装置の姿勢（例えば、使用されている向き）に基づいて、再生アプリケーションを設定する（切り替える）例を示す。なお、本技術の第３の実施の形態における撮像装置および情報処理装置の構成については、図１乃至図３に示す撮像装置１００および情報処理装置２００と同一である。このため、本技術の第３の実施の形態における各装置については、本技術の第１の実施の形態と同一の符号を付してこれらの説明の一部を省略する。
【０１３９】
［情報処理装置の動作例］
図１２は、本技術の第３の実施の形態における情報処理装置２００による再生アプリケーション設定処理の処理手順の一例を示すフローチャートである。図１２では、図１０、図１１と同様に、ユーザ操作により再生アプリケーションの起動が指示されたタイミング、画像の記録処理が行われた直後のタイミングで、再生アプリケーションを設定する例を示す。なお、ステップＳ９２１、Ｓ９２２、Ｓ９２４乃至Ｓ９２７は、図１０に示すＳ９０１、Ｓ９０２、Ｓ９０４乃至Ｓ９０７に対応するため、ここでの詳細な説明を省略する。
【０１４０】
再生アプリケーションの起動が指示された場合（ステップＳ９２１）、または、画像の記録処理が行われた場合には（ステップＳ９２２）、制御部２５０は、情報処理装置２００が横向き状態で使用されているか否かを判断する（ステップＳ９２３）。
【０１４１】
情報処理装置２００が横向き状態で使用されている場合には（ステップＳ９２３）、ステップＳ９２４に進む。
【０１４２】
例えば、情報処理装置２００が横向き状態で使用されている場合には、図４のａに示すように、撮像装置１００を装着して撮像動作を行っていることが多いと想定される。このような場合には、撮像装置１００を用いた撮影が再度行われることが予測されるため、簡易再生アプリケーションを起動させる。
【０１４３】
また、情報処理装置２００が横向き状態で使用されていない場合（情報処理装置２００が縦向き状態で使用されている場合）には（ステップＳ９２３）、ステップＳ９２６に進む。
【０１４４】
例えば、一般的な再生編集アプリケーションは、縦向きの画面でデザインされていることが多い。このため、例えば、情報処理装置２００が横向き状態で使用されている場合には、再生編集アプリケーションを使用する可能性が高いと想定される。このため、再生編集アプリケーションを起動させる。
【０１４５】
なお、撮像装置１００が情報処理装置２００に装着されていることを条件に、情報処理装置２００が横向き状態で使用されているか否かを判断するようにしてもよい。すなわち、本技術の第１の実施の形態と、本技術の第３の実施の形態とを組み合わせるようにしてもよい。この例を図１３に示す。
【０１４６】
［情報処理装置の動作例］
図１３は、本技術の第３の実施の形態における情報処理装置２００による再生アプリケーション設定処理の処理手順の一例を示すフローチャートである。なお、ステップＳ９３１、Ｓ９３２、Ｓ９３４乃至Ｓ９３８は、図１２に示すＳ９２１乃至Ｓ９２７に対応し、ステップＳ９３３は、図１０に示すＳ９０３に対応するため、ここでの詳細な説明を省略する。
【０１４７】
このように、撮像装置１００が情報処理装置２００に装着されていることを条件に、情報処理装置２００が横向き状態で使用されているか否かを判断することにより、さらに適切な再生アプリケーションを設定することができる。
【０１４８】
このように、本技術の実施の形態によれば、情報処理装置２００の使用態様に基づいて、２種類の再生アプリケーションのうちから、最適な再生アプリケーションを選択して設定することができる。すなわち、情報処理装置２００の使用態様に基づいて、２種類の再生アプリケーションを使い分けることができる。これにより、ユーザは、撮像装置１００や情報処理装置２００の使用態様に応じた適切な再生アプリケーションを迅速に使用することができる。
【０１４９】
なお、本技術の実施の形態では、情報処理装置２００の制御により再生アプリケーションを設定する例を示したが、撮像装置１００の制御により情報処理装置２００における再生アプリケーションを設定するようにしてもよい。例えば、情報処理装置２００から順次送信される情報に基づいて、撮像装置１００の制御部１４０が情報処理装置２００における再生アプリケーションの設定を制御することができる。この場合における撮像装置１００の制御部１４０の動作は、図１０乃至図１３を適用することができる。すなわち、撮像装置１００の制御部１４０は、撮像動作により生成される画像を再生する再生アプリケーションを、無線通信を利用して接続される情報処理装置２００の使用態様に基づいて、情報処理装置２００に設定する制御を行うことができる。なお、情報処理装置２００から順次送信される情報は、例えば、再生アプリケーションの起動操作の有無、画像の記録指示操作（例えば、シャッター操作）の有無、情報処理装置２００の姿勢（例えば、横向き状態、縦向き状態）である。
【０１５０】
なお、本技術の実施の形態では、円筒形（円柱形）の撮像装置１００を例にして説明したが、他の装置に取り付けることが可能な他の形状の撮像装置についても、本技術の実施の形態を適用することができる。また、無線通信（例えば、Ｗｉ−Ｆｉ）を利用した他の装置への接続が可能な撮像装置についても、本技術の第２および第３の実施の形態を適用することができる。また、本技術の実施の形態では、スマートフォン、タブレット端末等の情報処理装置２００を例にして説明したが、無線通信を利用して撮像装置と接続することが可能な他の装置についても、本技術の実施の形態を適用することができる。
【０１５１】
なお、上述の実施の形態は本技術を具現化するための一例を示したものであり、実施の形態における事項と、請求の範囲における発明特定事項とはそれぞれ対応関係を有する。同様に、請求の範囲における発明特定事項と、これと同一名称を付した本技術の実施の形態における事項とはそれぞれ対応関係を有する。ただし、本技術は実施の形態に限定されるものではなく、その要旨を逸脱しない範囲において実施の形態に種々の変形を施すことにより具現化することができる。
【０１５２】
また、上述の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disc）、メモリカード、ブルーレイディスク（Blu-ray（登録商標）Disc）等を用いることができる。
【０１５３】
なお、本明細書に記載された効果はあくまで例示であって、限定されるものではなく、また、他の効果があってもよい。
【０１５４】
なお、本技術は以下のような構成もとることができる。
（１）
無線通信を利用して接続される撮像装置により生成された画像を再生する再生アプリケーションを情報処理装置の使用態様に基づいて設定する制御を行う制御部を具備する情報処理装置。
（２）
前記制御部は、ユーザ操作に基づいて前記再生アプリケーションの起動が指示されたタイミング、または、ユーザ操作に基づいて前記画像の記録処理が行われたタイミングでの前記情報処理装置の使用態様を判断し、当該判断結果に基づいて前記再生アプリケーションを設定する前記（１）に記載の情報処理装置。
（３）
前記制御部は、起動後も無線通信を利用した前記撮像装置との接続を維持する第１再生アプリケーションと、起動後は無線通信を利用した前記撮像装置との接続が切断される第２再生アプリケーションとの何れかを設定する前記（１）または（２）に記載の情報処理装置。
（４）
前記制御部は、前記撮像装置が前記情報処理装置に装着されている場合には前記第１再生アプリケーションを設定し、前記撮像装置が前記情報処理装置に装着されていない場合には前記第２再生アプリケーションを設定する前記（３）に記載の情報処理装置。
（５）
前記制御部は、無線通信を利用して前記撮像装置および前記情報処理装置が接続されている場合には前記第１再生アプリケーションを設定し、無線通信を利用した前記撮像装置および前記情報処理装置間の接続が切断されている場合には前記第２再生アプリケーションを設定する前記（３）に記載の情報処理装置。
（６）
前記制御部は、前記情報処理装置が横向き状態で使用されている場合には前記第１再生アプリケーションを設定し、前記情報処理装置が縦向き状態で使用されている場合には前記第２再生アプリケーションを設定する前記（３）に記載の情報処理装置。
（７）
前記制御部は、前記撮像装置および前記情報処理装置の装着状態に基づいて前記再生アプリケーションを設定する制御を行う前記（１）に記載の情報処理装置。
（８）
前記制御部は、無線通信を利用した前記撮像装置および前記情報処理装置間の接続状態に基づいて前記再生アプリケーションを設定する制御を行う前記（１）に記載の情報処理装置。
（９）
前記制御部は、前記情報処理装置が使用される姿勢に基づいて前記再生アプリケーションを設定する制御を行う前記（１）に記載の情報処理装置。
（１０）
撮像動作により生成された画像を再生する再生アプリケーションを、無線通信を利用して接続される情報処理装置の使用態様に基づいて前記情報処理装置に設定する制御を行う制御部を具備する撮像装置。
（１１）
撮像動作により生成された画像を、無線通信を利用して接続される情報処理装置に提供する撮像装置と、
前記撮像装置から提供された画像を再生する再生アプリケーションを前記情報処理装置の使用態様に基づいて設定する制御を行う情報処理装置と
を具備する撮像システム。
（１２）
無線通信を利用して接続される撮像装置により生成された画像を再生する再生アプリケーションを情報処理装置の使用態様に基づいて設定する制御手順を具備する情報処理装置の制御方法。
（１３）
無線通信を利用して接続される撮像装置により生成された画像を再生する再生アプリケーションを情報処理装置の使用態様に基づいて設定する制御手順をコンピュータに実行させるプログラム。
【符号の説明】
【０１５５】
１００  撮像装置
１１０  撮像部
１２０  画像処理部
１３０  記憶部
１４０  制御部
１５０  無線通信部
１６０  操作受付部
１６１〜１６３  操作部材
１７０  鏡筒
１８０  アダプタ
１８１、１８２  取付部材
２００  情報処理装置
２１０  姿勢検出部
２２０  操作受付部
２２１〜２２３  操作部材
２３０  無線通信部
２４０  入出力部
２４１  入力部
２４２  表示部
２５０  制御部
２６０  画像処理部
２７０  記憶部
２８０  音声出力部
２９１  発光部
２９２  撮像部
【図１】
2018160905.tif 000003
【図２】
2018160905.tif 000004
【図３】
2018160905.tif 000005
【図４】
2018160905.tif 000006
【図５】
2018160905.tif 000007
【図６】
2018160905.tif 000008
【図７】
2018160905.tif 000009
【図８】
2018160905.tif 000010
【図９】
2018160905.tif 000011
【図１０】
2018160905.tif 000012
【図１１】
2018160905.tif 000013
【図１２】
2018160905.tif 000014
【図１３】
2018160905.tif 000015